(57)【要約】      （修正有）【課題】タイルが下地材から外れて落下することがなく、取り付け作業が極めて容易で、予めタイルに固定しても嵩張らず工期の短縮が可能なタイル取付金具、それを用いたタイルおよびタイル取付構造を提供する。【解決手段】タイル取付金具１は、金属製線状体を屈曲または湾曲して形成され、タイルの裏面に沿って配され下地材に係止するための第一線状部２と、第１線状部２の基端側に連続して設けられ第１線状部２が延在する方向に対して側面視で斜め上方に延在する第２線状部と、第２線状部の先端側に連続して設けられ正面視で水平方向に延在する第３線状部４とを有し、第２線状部３および第３線状部４は、タイルの裏面において幅方向に延在し、かつ裏面側から表面側に向かって斜め上方に向かって形成された取付金具用挿入凹条部内に挿入されて固定されて使用される。【選択図】図１
0003182066.tif 000002
【実用新案登録請求の範囲】
【請求項１】
下地材とタイルとの間に介在され前記下地材に前記タイルを取り付けるためのタイル取付金具であって、該タイル取付金具は金属製線状体を屈曲または湾曲して形成され、前記タイルの裏面に沿って配され前記下地材に係止するための第一線状部と、該第１線状部の基端側に連続して設けられ該第１線状部が延在する方向に対して側面視で斜め上方に延在する第２線状部と、該第２線状部の先端側に連続して設けられ正面視で水平方向に延在する第３線状部とを有し、前記第２線状部および前記第３線状部は、前記タイルの裏面において幅方向に延在し、かつ裏面側から表面側に向かって斜め上方に向かって形成された取付金具用入用凹条部内に挿入されて固定されることを特徴とするタイル取付金具。
【請求項２】
前記タイル取付金具は、ステンレス製バネ材にて形成されている請求項１に記載のタイル取付金具。
【請求項３】
前記第２線状部は、前記第１線状部が延在する方向に対して側面視で斜め上方に延在する一対の金属製線状体からなり、前記第３線状部は前記第２線状部を構成する前記一対の金属製線状体の先端間に延在する金属製線状体からなる請求項１または２に記載のタイル取付金具。
【請求項４】
前記第１線状部は正面視で頂部を有する略三角形状に形成されている請求項１ないし３のいずれかに記載のタイル取付金具。
【請求項５】
前記第１線状部は正面視で略四角形状に形成されている請求項１ないし３のいずれかに記載のタイル取付金具。
【請求項６】
前記第１線状部は正面視で垂直方向に延在すると共に上部に折り返されて形成された係止部を備え、前記第３線状部は正面視で水平方向に折り返されて形成されている請求項１ないし３のいずれかに記載のタイル取付金具。
【請求項７】
前記タイル取付金具は、波状の金属製線状体にて形成されている請求項１ないし６のいずれかに記載のタイル取付金具。
【請求項８】
下地材とタイルとの間に介在され前記下地材に前記タイルを取り付けるためのタイル取付金具が固定されたタイルであって、前記タイル取付金具は金属製線状体を屈曲または湾曲して形成され、前記タイルの裏面に沿って配され前記下地材に係止するための第一線状部と、該第１線状部の基端側に連続して設けられ該第１線状部が延在する方向に対して側面視で斜め上方に延在する第２線状部と、該第２線状部の先端側に連続して設けられ正面視で水平方向に延在する第３線状部とを有し、前記第２線状部および前記第３線状部は、前記タイルの裏面において幅方向に延在し、かつ裏面側から表面側に向かって斜め上方に向かって形成された取付金具用入用凹条部内に挿入されて固着されていることを特徴とするタイル。
【請求項９】
下地材と、該下地材に取り付けられたタイルと、前記下地材と前記タイルとの間に介在され前記下地材に前記タイルを取り付けるためのタイル取付金具とを有したタイル取付構造であって、該タイル取付金具は金属製線状体を屈曲または湾曲して形成され、前記タイルの裏面に沿って配され前記下地材に係止するための第一線状部と、該第１線状部の基端側に連続して設けられ側面視で該第１線状部が延在する方向に対して斜め上方に延在する第２線状部と、該第２線状部の先端側に連続して設けられ正面視で水平方向に延在する第３線状部とを有し、前記タイル取付金具は、前記第２線状部および前記第３線状部が、前記タイルの裏面において幅方向に延在し、かつ裏面側から表面側に向かって斜め上方に形成された取付金具挿入用凹条部内に挿入されて固定されることで前記タイルに固定されていると共に、前記第１線状部が前記下地材に係止されることで前記タイルが前記下地材に固定されていることを特徴とするタイル取付構造。
【考案の詳細な説明】
【技術分野】
【０００１】
本考案は、建築物等の壁面などへの乾式工法またはＰＣ板などの先付け工法に使用して好適なタイル取付金具、それを用いたタイルおよびタイル取付構造に関するものである。
【背景技術】
【０００２】
近年、タイル施工技術者の減少、工期短縮またはコスト低減などの要請から、タイルの施工方法として乾式工法やＰＣ板などの先付け工法が一般化している。
これらの工法において下地材にタイルを金具などで固定することが行われており、例えばそのようなタイル取付金具として、特開２００７−１３８４６８号公報のタイル受け具が提案されている。
【０００３】
このタイル受け具８０は、図１４に示すように、全体が長方形に形成され中間部が屈曲された板材８１であって、中央上端部に躯体取付け孔８２が設けられると共に、中央部に水平方向に切り起した自重受け片８３が設けられ、さらに、中央下端部にタイル９０裏面に埋設されたインサートナット９１に螺子９２を挿通するための螺子挿通長孔８４が設けられたものである。そして、このタイル受け金具８０を使用して施工する場合は、タイル９０と一体化されたプレート９３の上端部裏面に螺子９２にて板材８１を取付け、弾性接着剤９４をプレート９３の裏面部に塗布した後、下地材９５にタイル９０を貼付け、板材８１の躯体取付け孔８２にビス９６を通してモル下地材９５に固定する。さらに、上段のタイル９０及びプレート９３を板材８１の自重受け片８３上に載置し、上下のタイル９０間に柔軟目地材９７を充填することによりタイル９０を取り付ける。
【０００４】
しかし、このタイル受け具８０によるタイル取付構造では、タイル９０はプレート９３を板材８１の自重受け片８３上に載置するのみで保持されているので、タイル９０が外れて落下するおそれがあった。また、タイル９０とタイル受け具８０とを螺子９２で固定した後、板材８１の躯体取付け孔８２にビス９６を通し下地材９５に固定する必要があり、取り付け作業が煩雑であった。
【先行技術文献】
【特許文献】
【０００５】
【特許文献１】特開２００７−１３８４６８号公報
【考案の概要】
【考案が解決しようとする課題】
【０００６】
そこで、本考案の課題は、タイルが下地材から外れて落下することがなく、取り付け作業が極めて容易で、予めタイルに固定しても嵩張らず工期の短縮が可能なタイル取付金具、それを用いたタイルおよびタイル取付構造を提供することにある。
【課題を解決するための手段】
【０００７】
上記課題を解決するものは、下地材とタイルとの間に介在され前記下地材に前記タイルを取り付けるためのタイル取付金具であって、該タイル取付金具は金属製線状体を屈曲または湾曲して形成され、前記タイルの裏面に沿って配され前記下地材に係止するための第一線状部と、該第１線状部の基端側に連続して設けられ該第１線状部が延在する方向に対して側面視で斜め上方に延在する第２線状部と、該第２線状部の先端側に連続して設けられ正面視で水平方向に延在する第３線状部とを有し、前記第２線状部および前記第３線状部は、前記タイルの裏面において幅方向に延在し、かつ裏面側から表面側に向かって斜め上方に向かって形成された取付金具用入用凹条部内に挿入されて固定されることを特徴とするタイル取付金具である。前記タイル取付金具は、ステンレス製バネ材にて形成されていることが好ましい。前記第２線状部は、前記第１線状部が延在する方向に対して側面視で斜め上方に延在する一対の金属製線状体からなり、前記第３線状部は前記第２線状部を構成する前記一対の金属製線状体の先端間に延在する金属製線状体からなることが好ましい。前記第１線状部は正面視で頂部を有する略三角形状に形成されていることが好ましい。前記第１線状部は正面視で垂直方向に延在すると共に上部に折り返されて形成された係止部を備え、前記第３線状部は正面視で水平方向に折り返されて形成されているものであってもよい。前記第１線状部は正面視で略四角形状に形成されていてもよい。前記タイル取付金具は、波状の金属製線状体にて形成されていることが好ましい。
【０００８】
また、上記課題を解決するものは、下地材とタイルとの間に介在され前記下地材に前記タイルを取り付けるためのタイル取付金具が固定されたタイルであって、前記タイル取付金具は金属製線状体を屈曲または湾曲して形成され、前記タイルの裏面に沿って配され前記下地材に係止するための第一線状部と、該第１線状部の基端側に連続して設けられ該第１線状部が延在する方向に対して側面視で斜め上方に延在する第２線状部と、該第２線状部の先端側に連続して設けられ正面視で水平方向に延在する第３線状部とを有し、前記第２線状部および前記第３線状部は、前記タイルの裏面において幅方向に延在し、かつ裏面側から表面側に向かって斜め上方に向かって形成された取付金具用入用凹条部内に挿入されて固着されていることを特徴とするタイル。前記取付金具用入用凹条部は、幅方向の両端部付近の少なくとも一方には形成されていないことが好ましい。 
【０００９】
さらに、上記課題を解決するものは、下地材と、該下地材に取り付けられたタイルと、前記下地材と前記タイルとの間に介在され前記下地材に前記タイルを取り付けるためのタイル取付金具とを有したタイル取付構造であって、該タイル取付金具は金属製線状体を屈曲または湾曲して形成され、前記タイルの裏面に沿って配され前記下地材に係止するための第一線状部と、該第１線状部の基端側に連続して設けられ側面視で該第１線状部が延在する方向に対して斜め上方に延在する第２線状部と、該第２線状部の先端側に連続して設けられ正面視で水平方向に延在する第３線状部とを有し、前記タイル取付金具は、前記第２線状部および前記第３線状部が、前記タイルの裏面において幅方向に延在し、かつ裏面側から表面側に向かって斜め上方に形成された取付金具挿入用凹条部内に挿入されて固定されることで前記タイルに固定されていると共に、前記第１線状部が前記下地材に係止されることで前記タイルが前記下地材に固定されていることを特徴とするタイル取付構造である。
【考案の効果】
【００１０】
請求項１に記載した考案によれば、タイルが下地材から外れて落下することがなく、取り付け作業が極めて容易で、予めタイルに固定しても嵩張らず工期の短縮も可能となる。
請求項２に記載した考案によれば、より強靱性および強度性に優れたタイル取付金具が構成される。
請求項３に記載した考案によれば、上記請求項１または２の効果を奏するタイル取付金具を簡素な形態で構成できる。
請求項４に記載した考案によれば、頂部を用いて容易かつ確実に下地材にタイルを係止させることができる。
請求項５に記載した考案によれば、上記請求項１または２の効果を奏するタイル取付金具を簡素な形態で構成できる。
請求項６に記載した考案によれば、上記請求項１または２の効果を奏するタイル取付金具をより簡素な形態で構成できる。
請求項７に記載した考案によれば、下地材にタイルをより確実に係止させることができる。
請求項８に記載した考案によれば、タイルが下地材から外れて落下することがなく、取り付け作業が極めて容易で、タイル取付金具を予めタイルに固定しても嵩張らず工期の短縮も可能なタイルとなる。
請求項９に記載した考案によれば、タイルが下地材から外れて落下することがなく、取り付け作業が極めて容易で、タイル取付金具を予めタイルに固定しても嵩張らず工期の短縮も可能なタイル取付構造となる。 
【図面の簡単な説明】
【００１１】
【図１】本考案のタイル取付金具の一実施例の正面図である。
【図２】図１の右側面図である。
【図３】図１に示したタイル取付金具を裏面に取り付けた本発明のタイルの一実施例のタイル背面図である。
【図４】図１のＡ−Ａ線部分断面図である。
【図５】本考案のタイル取付構造を説明するためのタイル正面側説明図である。
【図６】本考案の他のタイル取付構造を説明するためのタイル正面側説明図である。
【図７】本考案のタイル取付金具の他の実施例の正面図である。
【図８】図７の右側面図である。
【図９】本考案のタイル取付金具の他の実施例の正面図である。
【図１０】図９の右側面図である。
【図１１】図７に示したタイル取付金具の使用例を示したタイル正面側説明図である。
【図１２】本考案のタイル取付金具の他の実施例の正面図である。
【図１３】図１２の右側面図である。
【図１４】従来のタイル取付金具およびタイル取付構造を説明するための縦断面図である。
【考案を実施するための形態】
【００１２】
本考案では、金属製線状体を屈曲または湾曲して形成され、タイル４０の裏面に沿って配され下地材５０に係止するための第一線状部２と、第１線状部２の基端側に連続して設けられ第１線状部２が延在する方向に対して側面視で斜め上方に延在する第２線状部３ａ，３ｂと、第２線状部３ａ，３ｂの先端側に連続して設けられ正面視で水平方向に延在する第３線状部４とを有し、第２線状部３および第３線状部４は、タイル４０の裏面において幅方向に延在し、かつ裏面側から表面側に向かって斜め上方に向かって形成された取付金具挿入用凹条部４１内に挿入されて固定されることで、タイルが下地材から外れて落下することがなく、取り付け作業が極めて容易で、予めタイルに固定しても嵩張らず工期の短縮が可能なタイル取付金具、それを用いたタイルおよびタイル取付構造を実現した。
【実施例１】
【００１３】
本考案のタイル取付金具を図１ないし図５に示した一実施例を用いて説明する。
この実施例のタイル取付金具１は、下地材５０とタイル４０との間に介在され下地材５０にタイル４０を取り付けるためのタイル取付金具であって、タイル取付金具１は金属製線状体を屈曲または湾曲して形成され、タイル４０の裏面に沿って配され下地材５０に係止するための第一線状部２と、第１線状部２の基端側に連続して設けられ第１線状部２が延在する方向に対して側面視で斜め上方に延在する一対の第２線状部３ａ，３ｂと、一対の第２線状部３ａ，３ｂの先端間に延在する第３線状部４とを有し、第２線状部３および第３線状部４は、タイル４０の裏面において幅方向に延在し、かつ裏面側から表面側に向かって斜め上方に向かって形成された取付金具挿入用凹条部４１内に挿入されて固定されるものである。以下、各構成について順次詳述する。
【００１４】
この実施例のタイル取付金具１は、図５に示すように、下地材５０とタイル４０との間に介在され、下地材５０にタイル４０を取り付けるためのものである。
【００１５】
タイル取付金具１は、ステンレス製バネ板からなる金属製線状体を屈曲または湾曲して形成されており、タイル４０を保持した状態でも経時的に変形または分断しない剛性と強度を備えている。
【００１６】
第一線状部２は、図１または図２に示すように、タイル取付金具１の上部付近に設けられ下地材５０に係止するための部位である。この第１線状部２は、正面視（図１参照）で頂部２ａを有する略三角形状に形成されており、図５に示すように、この頂部２ａにピアノ線７０などを取り付け下地材７０に設けられたビス７５にピアノ線７０を固定してタイル取付金具１およびタイル４０を下地材５０に固定したり、図６に示すように、下地材５０に設けられたビス７５などにこの頂部２ａを直接係止させたりしてタイル４０の落下を防止させるための部位である。
【００１７】
また、第一線状部２は、図３または図４に示すように、タイル４０の裏面に沿って配されるため、タイル取付金具１をタイル４０の裏面に固定しても、ステンレス製バネ板からなる金属製線状体の太さ分（この実施例では約１ｍｍ）裏面側に突出するのみで嵩張らないことから、予めタイル取付金具１を固定させたタイル４０の保管または搬送も容易となる。
【００１８】
なお、この実施例の第一線状部２は、正面視（図１参照）で頂部２ａを有する略三角形状に形成されているが、これに限定されるものではなく、略半円形状、略半楕円形状、略三角形状以外の多角形状のものなどでもよい。ただし、下地材に設けられたビスなどに一点で係止させる場合は、この実施例のように頂部を有する略二等辺三角形状が安定して固定できることからより好ましい。
【００１９】
第２線状部３ａ，３ｂは、タイル４０の裏面において幅方向に延在し、かつ裏面側から表面側に向かって斜め上方（この実施例では約４５゜斜め上方）に向かって形成された取付金具挿入用凹条部４１内に挿入されて固定される部位であり、第１線状部２の基端側に連続して設けられ第１線状部２が延在する方向に対して側面視（図２参照）で斜め上方（この実施例では約４５゜斜め上方）に延在する一対の第２線状部３ａ，３ｂから構成されている。これら第２線状部３ａ，３ｂにより、タイル取付金具１をタイル４０に係止させることができる。
【００２０】
第３線状部４も、タイル４０の裏面において幅方向に延在し、かつ裏面側から表面側に向かって斜め上方に向かって形成された取付金具挿入用凹条部４１内に挿入されて固定される部位であり、一対の第２線状部３ａ，３ｂの先端間に延在する第３線状部４から構成されている。この第３線状部４により、タイル取付金具１をタイル４０により確実に係止させることができる。
【００２１】
なお、この実施例のタイル取付金具１は一本の金属製線状体を屈曲または湾曲して形成されているため、第３線状部４の中央部が分断しているが、タイル取付金具が環状の金属製線状体を屈曲または湾曲して形成され、第３線状部４が分断していないものも本考案の範疇に包含される。
【００２２】
つぎに、本考案のタイル取付金具を用いたタイルを図３ないし図５に示した一実施例を用いて説明する。
この実施例のタイル４０は、下地材５０とタイル４０との間に介在され下地材５０にタイル４０を取り付けるためのタイル取付金具１が接着剤にて固着されたタイルであって、タイル取付金具１は金属製線状体を屈曲または湾曲して形成され、タイル４０の裏面に沿って配され下地材５０に係止するための第一線状部２と、第１線状部２の基端側に連続して設けられ第１線状部２が延在する方向に対して側面視で斜め上方に延在する一対の第２線状部３ａ，３ｂと、一対の第２線状部３ａ，３ｂの先端間に延在する第３線状部４とを有し、第２線状部３ａ，３ｂおよび第３線状部４は、タイル４０の裏面において幅方向に延在し、かつ裏面側から表面側に向かって斜め上方に向かって形成された取付金具用入用凹条部４１内に挿入されて固着されていることを特徴とするタイルである。以下、各構成について順次詳述するが、タイル取付金具１の構成については前述した通りであり、同一符号を付し説明を省略する。
【００２３】
この実施例のタイル４０は陶磁質タイルであるが、これに限定されるものではなく壁面等の下地材に張設されるものであればどのような材質のものでもよく、例えば石材タイルなどであってもよい。また、この実施例のタイル１は矩形のタイルであるが、これに限定されるものではなく、例えば円形、楕円形、菱形などの形態を有するタイルであってもよい。
【００２４】
タイル４０の裏面には、図３に示すように、幅方向に延在するように穿設された取付金具挿入用凹条部４１が形成されている。この取付金具挿入用凹条部４１は、タイル４０を壁面等の下地材５０に張設する際にタイル取付金具１の第２線状部３ａ，３ｂおよび第３線状部４を挿入するための部位であり、幅方向に延在すると共に、図４に示すように、裏面側から表面側に斜め上方に向かって穿孔された凹条溝にて形成されている。
【００２５】
そして、取付金具挿入用凹条部４１は、幅方向の両端部間に渡って形成されておらず、すなわち、幅方向の両端部付近の双方には形成されていない。より具体的には、この実施例の取付金具挿入用凹条部４１は、幅方向の両端部付近を除いて形成されている。このように、両端部付近にはそれぞれ溝が形成されておらずタイル４０の肉厚のままであるため、強度が増して取付金具挿入用凹条部４１に沿ってタイル４０が分断してしまうことがなく、壁面等に張設されてもタイル４０がより落下することがない。また、幅方向の両端部付近の両方に溝が形成されていないと、接着剤６０（この実施例ではエポキシ樹脂）を取付金具挿入用凹条部４１内に充填しても両側から液漏れすることがなく両端のテーピングが不要となる。
【００２６】
なお、本願において、「タイルの幅方向」とは、壁面等に張設される際、略水平方向に配される方向を意味する。従って、また、「幅方向の両端部付近の双方には形成されていない」とは、文字通り両端部付近の両方に形成されていないことの他、両端部付近のいずれか一方に形成されていないことを含む概念である。
【００２７】
また、タイル４０の裏面に形成された取付金具用凹条部４１内にタイル取付金具１の第２線状部３ａ，３ｂおよび第３線状部４が挿入される際には、取付金具用凹条部４１内に例えばエポキシ樹脂などの接着剤６０が充填される。これにより、第２線状部３ａ，３ｂおよび第３線状部４の係止力を高めタイル４０の落下をより防止することができる。
【００２８】
さらに、本考案のタイル取付金具１を用いたタイル取付構造を図５に示した一実施例を用いて説明する。
この実施例のタイル取付金具１を用いたタイル取付構造は、下地材５０と、下地材５０に取り付けられたタイル４０と、下地材５０とタイル４０との間に介在され下地材５０にタイル４０を取り付けるためのタイル取付金具１とを有したタイル取付構造であって、タイル取付金具１は金属製線状体を屈曲または湾曲して形成され、タイル４０の裏面に沿って配され下地材５０に係止するための第一線状部２と、第１線状部２の基端側に連続して設けられ側面視で第１線状部２が延在する方向に対して斜め上方に延在する一対の第２線状部３ａ，３ｂと、一対の第２線状部３ａ，３ｂの先端間に延在する第３線状部４とを有し、タイル取付金具１は、第２線状部３ａ，３ｂおよび第３線状部４が、タイル４０の裏面において幅方向に延在し、かつ裏面側から表面側に向かって斜め上方に形成された取付金具挿入用凹条部４１内に挿入されて固定されることでタイル４０に固定されていると共に、第１線状部２が下地材５０に係止されることでタイル４０が下地材５０に固定されている。以下、各構成について順次詳述するが、タイル取付金具１およびそれを取り付けたタイル４０については前述した通りであり詳述を省略する。 
【００２９】
下地材５０はタイル４０を取り付けるためのものであり、この実施例の下地材５０は木質系下地材であるが、タイル４０を張設するものであればどのようなものでもよく、例えばコンクリート製躯体、ベースボード、パネル工法におけるセメント板などでもよい。
【００３０】
そして、この実施例のタイル取付金具１を用いたタイル取付構造では、図３または図４に示すように、予めタイル取付金具１の第２線状部３ａ，３ｂおよび第３線状部４が、タイル４０の裏面において幅方向に延在し、かつ裏面側から表面側に向かって斜め上方に形成された取付金具挿入用凹条部４１内に挿入され、さらに接着剤６０にて固着されることでタイル４０に固定されている。
【００３１】
そして、タイル取付金具１の第１線状部２が下地材５０に係止されることで下地材５０に固定されている。具体的には、この実施例では、図５に示すように、第１線状部２の頂部２ａにピアノ線７０などを取り付け、下地材５０に設けられたビス７５にピアノ線７０を固定することでタイル４０が下地材５０に固定されている。
【００３２】
つぎに、図７、図８および図１１に示した本考案のタイル取付金具１０について説明する。
この実施例のタイル取付金具１０と前述したタイル取付金具１との基本的な相違点は第１線状部の形態であり、他の部位については略同様であるため詳述を省略する。
タイル取付金具１０の第１線状部１２は、図７に示すように、正面視で略台形状の略四角形状に形成され、上部両側にそれぞれ角部１２ａ，１２ｂを有している。そして、この第１線状部１２にてタイルを下地材に固定する場合は、これら角部１２ａ，１２ｂにピアノ線などを取り付け下地材に設けられたビスにピアノ線を固定してタイル取付金具１０およびタイルを下地材に固定したり、下地材に設けられたビスなどにこれら角部１２ａ，１２ｂを直接係止させたり、さらには、図１１に示すように、第１線状部１２の上部付近を上段のタイル４０の裏面において押圧固定させたりして下段のタイル４０の落下を防止させる。
【００３３】
さらに、図９および図１０に示した本考案のタイル取付金具１５について説明する。
この実施例のタイル取付金具１５と前述したタイル取付金具１０との基本的な相違点は第１線状部が波状に形成されている点のみであり、他の部位については略同様であるため詳述を省略する。
このように、タイル取付金具１５の第１線状部１５ａ，１５ｂ，１５ｃが波状に形成されていると、モルタル等が波状部内に侵入してタイルをより確実に下地材に固定させることができる。なお、この実施例では、図１０に示すように、波状は側面視では現れない方向に形成されているが、波状が側面視で現れる方向に形成されたものも本考案の範疇に包含される。
【００３４】
さらに、図１２および図１３に示した本考案のタイル取付金具２０について説明する。
この実施例のタイル取付金具２０と前述したタイル取付金具１との基本的な相違点は第１線状部、第２線状部および第３線状部の形態である。
タイル取付金具２０の第１線状部は、図１２に示すように、正面視で垂直方向に延在する２２ｂと、折り返された部位２２ａと、最上部に折り返されて形成された係止部２２ｃを備えている。また、第２線状部２３は、図１３に示すように、第１線状部の基端側に連続して設けられ第１線状部が延在する方向に対して側面視で斜め上方に延在しており、さらに、第３線状部は、図１２に示すように、第２線状部の先端側に連続して設けられ正面視で水平方向に延在する部位２４ａと、２４ａの先端が折り返されて形成された２４ｂとから構成されている。そして、この第１線状部にてタイルを下地材に固定する場合は、係止部２２ｃにピアノ線などを取り付け下地材に設けられたビスにピアノ線を固定してタイル取付金具２０およびタイルを下地材に固定したり、下地材に設けられたビスなどに係止部２２ｃを直接係止させたりしてタイルの落下を防止させる。
【００３５】
以上のように、本考案のタイル取付金具、それを用いたタイルおよびタイル取付構造では、金属製線状体を屈曲または湾曲して形成され、タイルの裏面に沿って配され下地材に係止するための第一線状部と、第１線状部の基端側に連続して設けられ第１線状部が延在する方向に対して側面視で斜め上方に延在する第２線状部と、第２線状部の先端側に連続して設けられ正面視で水平方向に延在する第３線状部とを有し、第２線状部および第３線状部は、タイルの裏面において幅方向に延在し、かつ裏面側から表面側に向かって斜め上方に向かって形成された取付金具挿入用凹条部内に挿入されて固定されることで、タイルが下地材から外れて落下することがなく、取り付け作業が極めて容易で、予めタイルに固定しても嵩張らず工期の短縮が可能となる。
【符号の説明】
【００３６】
１ タイル取付金具
２ 第一線状部
３ａ  第２線状部
３ｂ  第２線状部
４  第３線状部
４０  タイル
４１  取付金具挿入用凹条部
５０ 下地材
【図１】
0003182066.tif 000003
【図２】
0003182066.tif 000004
【図３】
0003182066.tif 000005
【図４】
0003182066.tif 000006
【図５】
0003182066.tif 000007
【図６】
0003182066.tif 000008
【図７】
0003182066.tif 000009
【図８】
0003182066.tif 000010
【図９】
0003182066.tif 000011
【図１０】
0003182066.tif 000012
【図１１】
0003182066.tif 000013
【図１２】
0003182066.tif 000014
【図１３】
0003182066.tif 000015
【図１４】
0003182066.tif 000016